(57)【特許請求の範囲】
【請求項１】
有底箱状に形成され、かつ側壁面を下端から上端に向かって拡開したテーパ周面に形成された容器本体の内部に、射出成形法によって得られた合成樹脂材料よりなる複数の仕切板を縦横に組み合わせた状態で収容し、前記容器本体のテーパ周面と接触する前記仕切板の側端面に対し浮き上がり防止突起を形成し、前記仕切板の組合せ部には、仕切板の長手方向に作用する外力を吸収する緩衝構造を形成した容器と仕切板の組合せ構造。
【請求項２】
請求項１において、前記仕切板の側端面は容器本体の前記テーパ内周面のテーパ角よりも大きいテーパ角に形成されている容器と仕切板の組合せ構造。
【請求項３】
前記仕切板のうち一方の仕切板の上部には他方の仕切板の上部に形成した連結部を挿入する組合せ用凹部が形成され、他方の仕切板の下部には一方の仕切板の組合せ用凹部の下部に形成した連結部を挿入する組合せ用凹部が形成され、前記緩衝構造は、組み合わされた一対の仕切板のうち一方の仕切板の連結部の表面に形成した弾性変形可能な緩衝突部と、該緩衝突部を他の仕切板の組合せ用凹部の対向面に当接して形成された緩衝隙間とから構成されている請求項１又は２に記載の容器と仕切板の組合せ構造。
【発明の詳細な説明】
【０００１】
【発明の属する技術分野】
この発明は容器と仕切板の組合せ構造に関するものである。
【０００２】
【従来の技術】
従来の容器は、有底箱状の容器本体の内周側壁面の間隔が上端から下端に行くほど幅狭となるテーパ内周面に形成されており、該容器本体の内部を複数の収容空間に仕切る仕切板は縦方向に収容され、前記容器本体のテーパ内周面と接触する仕切板の側端面は、前記容器のテーパ内周面に直接上端から下端にかけて面接触するようになっていた。
【０００３】
【発明が解決しようとする課題】
ところが、上記容器と仕切板の組合せ構造は、容器本体のテーパ内周面に仕切板のテーパ側端面が面接触され、かつ仕切板はテーパ内周面に所定の押圧力により押されているので、容器が運搬中に受ける振動により仕切板のテーパ側端面が容器のテーパ内周面に沿って上方に移動して浮き上がるという問題があった。容器本体や仕切板は通常合成樹脂材料により成形されているので、仕切板と容器との接触部は滑り易く、上記の問題が生じ易い。この浮き上がりを防止するため別の押圧板を仕切板の上部に載置する必要があった。
【０００４】
この発明の目的は上記従来の問題点を解消して仕切板の浮き上がりを防止することができる容器と仕切板の組合せ構造を提供することにある。
【０００５】
【課題を解決するための手段】
請求項１記載の発明は上記目的を達成するため、有底箱状に形成され、かつ側壁面を下端から上端に向かって拡開したテーパ周面に形成された容器本体の内部に、射出成形法によって得られた合成樹脂材料よりなる複数の仕切板を縦横に組み合わせた状態で収容し、前記容器本体のテーパ周面と接触する前記仕切板の側端面に対し浮き上がり防止突起を形成し、前記仕切板の組合せ部には、仕切板の長手方向に作用する外力を吸収する緩衝構造を形成している。
【０００６】
請求項２記載の発明は、請求項１において、前記仕切板の側端面は容器本体の前記テーパ内周面のテーパ角よりも大きいテーパ角に形成されている。
請求項３記載の発明は、請求項１又は２において、前記仕切板のうち一方の仕切板の上部には他方の仕切板の上部に形成した連結部を挿入する組合せ用凹部が形成され、他方の仕切板の下部には一方の仕切板の組合せ用凹部の下部に形成した連結部を挿入する組合せ用凹部が形成され、前記緩衝構造は、組み合わされた一対の仕切板のうち一方の仕切板の連結部の表面に形成した弾性変形可能な緩衝突部と、該緩衝突部を他の仕切板の組合せ用凹部の対向面に当接して形成された緩衝隙間とから構成されている。
【０００７】
【発明の実施の形態】
以下に、この発明の一実施形態を図１〜図５に基づいて説明する。
図５に示すように、この実施形態の運搬用容器１１は、上面を開口した有底横長四角箱状の容器本体１２と、その容器本体１２の開口付近に装着される蓋体（図示略）とから構成されている。前記容器本体１２は複数の分離可能な金型を用いて、ポリプロピレン等の合成樹脂により一体的に成形され、その対向する側板１３は下端ほど内側に変位して距離が緩やかに減少するテーパ周面１３ａに形成され、底板１４の下面には補強リブ１４ａが図１に示すように一体に形成されている。前記容器本体１２の外周面には複数段の周面フランジ１５，１６，１７が一体に形成されている。最上部に位置する周面フランジ１５の上面には上側に段積みされる別の容器１１の最下部に形成された周面フランジ１７の下面を載置可能である。容器本体１２の上端部には最上部の周面フランジ１５よりも上方に位置するように四角環状起立片１８が形成され、この四角環状起立片１８は、上部に段積みされる容器１１の下端部に形成された係合凹部１９に係合され、段積みされた上部の容器１１の横方向への移動を阻止する。
【０００８】
図５に示すように、前記容器本体１２の４つのコーナ部には複合壁部２１が一体に成形されている。
この容器本体１２内には第１及び第２の仕切板２１，２２が格子状に組み合わされた状態で収容されている。各仕切板２１，２２により区画される多数の区画室には、例えばコンプレッサー等の部品が収納される。なお、図１に示すように、底板１４及び補強リブ１４ａは、下部周面フランジ１７の下端面、複合壁部２１の下端面から所定高さ位置に変位されている。
【０００９】
前記下部周面フランジ１７は、図１に示すように前記容器本体１２の側板１３の下端縁に一体的に連結される断面逆Ｌ字状の折曲部１７ａと、この折曲部１７ａの下端縁に水平に一体成形された接地部１７ｂとにより構成されている。そして、前記折曲部１７ａの内側に形成された逆Ｌ字状の凹部を下方に位置する容器１１の環状起立片１８を係合する係合凹部１９としている。
【００１０】
次に、この発明の要部の構成を説明する。
前記各仕切板２１，２２の左右両側端面２１ａ，２２ａは、下端ほど幅狭となるテーパ端面に形成され、そのテーパ角αは、容器本体１２のテーパ周面１３ａのテーパ角βよりも大きく設定されている。又、この左右両側端面２１ａ，２２ａの上部には浮き上がり防止突起２１ｂ，２２ｂが一体に形成されている。
【００１１】
前記第１の仕切板２１には複数箇所（この実施形態では１０箇所）に第２の仕切板２２を平面から見て十字状に組み合わせるための組合せ用凹部２１ｃが仕切板２１の上端縁から下方に所定深さだけ形成されている。この組合せ用凹部２１ｃの下端と対応するように仕切板２１のほぼ下半部には薄肉連結部２１ｄが一体に形成されている。又、前記組合せ用凹部２１ｃを形成する対向面２１ｅ，２１ｅには一対の係止突起２１ｆ，２１ｆが一体に形成されている。さらに、前記連結部２１ｄの下端部の表裏両面には一対の緩衝突起２１ｇ，２１ｇが一体に形成されている。
【００１２】
一方、第２の仕切板２２には複数箇所（この実施形態では５箇所）に第１の仕切板２１に対し平面から見て十字状に組み合わせるための組合せ用凹部２２ｃが仕切板２２の下端縁から上方に所定深さだけ形成されている。この組合せ用凹部２２ｃの上端と対応するように仕切板２２のほぼ上半部には薄肉連結部２２ｄが一体に形成されている。又、前記組合せ用凹部２２ｃを形成する対向面２２ｅ，２２ｅには一対の係止突起２２ｆ，２２ｆが一体に形成されている。さらに、前記連結部２２ｄの上端部の表裏両面には一対の緩衝突起２２ｇ，２２ｇが一体に形成されている。
【００１３】
前記第１及び第２の仕切板２１，２２を組み付けるには、第１の仕切板２１の組合せ用凹部２１ｃに対し、第２の仕切板２２の組合せ用凹部２２ｃを上方に配置し、かつ上方から見て十字状になるように対応させて、第２の仕切板２２を下方に移動する。すると、第２の仕切板２２の組合せ用凹部２２ｃの下端部に形成した一対の係止突起２２ｆ，２２ｆが第１の仕切板２１の連結板２１ｄの表裏両面に接触された状態で下方にスライドされる。そして、一対の係止突起２２ｆ，２２ｆが弾性変形しつつ連結板２１ｄの下部に形成した緩衝突起２１ｇ，２１ｇを乗り越えてその直下に移動すると、両係止突起２２ｆ，２２ｆの間隔が弾性復元力により狭くなり、係止突起２２ｆ，２２ｆが緩衝突起２１ｇ，２１ｇに係止されて仕切板２２の上方への移動が阻止される。
【００１４】
上記の動作と同期して第２の仕切板２２の緩衝突起２２ｇ，２２ｇが第１の仕切板２１の係止突起２１ｆ，２１ｆを乗り越えて直下に配置され、この係止突起２１ｆ，２１ｆによっても第１及び第２の仕切板２１，２２が組合せ状態に安定して保持される。
【００１５】
全ての仕切板２１，２２の組合せが終了して格子状の仕切板ユニットができたら、このユニットを容器本体１２の内部に収容する。このとき、各仕切板２１，２２のテーパ側端面２１ａ，２２ａに形成した浮き上がり防止突起２１ｂ，２２ｂが容器本体１２を構成する側板１３のテーパ周面１３ａに所定の圧力で押圧される。
【００１６】
前記のように構成した容器１１の作用について説明する。
前記容器１１は、仕切板ユニットを収容した状態で各仕切板２１，２２により区間された複数の空間にそれぞれコンプレッサー等の部品を収容して、図示しない蓋を容器本体１２の開口部に被せて運搬される。又、製造工場等においては、数個の容器１１が上下方向に段積みされる。このとき、下部に位置する容器１１の環状起立片１８が直上に位置する容器１１の係合凹部１９に係合され、各容器１１の横方向へのズレが防止される。
【００１７】
次に、前記のように構成した運搬用容器の構成に基づく作用効果を以下に列記する。
▲１▼  前記実施形態においては、各仕切板２１，２２の両テーパ側端面２１ａ，２２ａの上部に浮き上がり防止突起２１ｂ，２２ｂを設け、これを容器の側板１３，１３のテーパ周面１３ａに押圧するようにした。このため、仕切板２１，２２が側板１３のテーパ周面１３ａに沿って上方に移動しても少し上昇した位置で突起２１ｂ，２２ｂがテーパ周面１３ａから確実に離れるので、仕切板２１，２２はそれ以上上方へ変位することはなく、仕切板２１，２２の浮き上がりを防止することができる。
【００１８】
▲２▼  前記実施形態においては、浮き上がり防止突起２１ｂ，２２ｂを設けたので、構造を簡素化し、製造を容易に行うことができる。
▲３▼  前記実施形態では、前記仕切板２１，２２のテーパ側端面２１ａ，２２ａのテーパ角αは、前記テーパ周面１３ａのテーパ角βよりも大きく形成され、テーパ側端面２１ａ，２２ａの上部に前記突起２１ｂ，２２ｂを形成したので、突起を下部に形成するのと比較して、仕切板２１，２２の浮き上がりを効果的に防止することができる。
【００１９】
▲４▼  前記実施形態では、前記浮き上がり防止突起２１ｂ，２２ｂを球面状に形成したので、接触面積を少なくして、仕切板２１，２２が上方へ僅かにズレた場合に、テーパ周面１３ａから突起２１ｂ，２２ｂを離し、前記浮き上がりを確実に防止することができる。
【００２０】
▲５▼  前記実施形態では、複数の前記仕切板２１，２２を縦横に組み合わせて仕切板ユニットを構成し、組合せ部において仕切板２１，２２に組合せ方向に作用する外力を吸収する緩衝構造として緩衝突起２１ｇ，２２ｇを連結部２１ｄ，２２ｄに形成し、凹部２１ｃ，２２ｃの対向面２１ｅ，２２ｅと連結部２２ｄ，２１ｄの表面との間に隙間Ｇを設けた。このため、仕切板２１，２２に作用する仕切板に沿った水平方向の外力を緩衝突部２１ｇ，２２ｇの弾性変形及び隙間Ｇの変化により吸収して、仕切板２１，２２が上方へ浮き上がるのをより確実に防止することができる。
【００２１】
▲６▼  前記実施形態では、前記第１の仕切板２１の上部には第２の仕切板２２の上部に形成した連結部２２ｄを挿入する組合せ用凹部２１ｃを縦方向に形成し、第２の仕切板２２の下部には第１の仕切板２１の組合せ用凹部２１ｃの下部に形成した連結部２１ｄを挿入する組合せ用凹部２２ｃを形成し、前記両組合せ用凹部２１ｃ，２２ｃの対向面２１ｅ，２２ｅには連結部２１ｄ，２２ｄの表裏両面に形成した緩衝突部２１ｇ，２２ｇを乗り越えて係止可能な係止突部２１ｆ，２２ｆが形成されている。このため、第１及び第２の仕切板２１，２２の組合せ状態を確実に保持することができる。
【００２２】
なお、この発明は前記実施形態に限定されるものではなく、次のように具体化することもできる。
図６に示すように、前記浮き上がり防止突起を水平方向から見て点接触するように形成すること。
【００２３】
前述した実施形態から把握できる請求項１，２以外の技術思想について、以下に記載する。
（１）  請求項１又は２において、前記浮き上がり防止突起は水平方向から見て点接触するように形成されている容器と仕切板の組合せ構造。
【００２４】
（２）  請求項１，２，上記（１）のいずれか一つにおいて、前記浮き上がり防止突起は球面状に形成されている容器と仕切板の組合せ構造。
（３）  請求項１，２，上記（１），（２）のいずれか一つにおいて、前記仕切板は複数の仕切板を十字状に組み合わせて構成され、組合せ部において仕切板の長手方向に作用する外力を吸収する緩衝構造を備えている容器と仕切板の組合せ構造。
【００２５】
（４）  上記（３）において、縦横に組み合わされた前記仕切板のうち一方の仕切板の上部には他方の仕切板の上部に形成した連結部を挿入する組合せ用凹部が縦方向に形成され、他方の仕切板の下部には一方の仕切板の組合せ用凹部の下部に形成した連結部を挿入する組合せ用凹部が形成され、前記緩衝構造は、組み合わされた一対の仕切板のうち一方の仕切板の連結部の表面に形成した緩衝突部と、該緩衝突部を他の仕切板の組合せ用凹部の対向面に当接して形成された緩衝隙間とから構成されている容器と仕切板の組合せ構造。
【００２６】
（５）  上記（４）において、前記一方の仕切板の組合せ用凹部の対向面には他方の仕切板の連結部に形成した緩衝突部を仕切板の組合せ時に乗り越えて係止される係止突部が形成されている容器と仕切板の組合せ構造。
【００２７】
（６）  容器本体のテーパ内周面に接触される仕切板の側端面に対し、浮き上がり防止突起を設けた容器と仕切板の組合せ構造に用いられる仕切板。
上記（５），（６）記載の発明は、請求項１，２，前記（３），（４）のいずれか一つに記載の発明の効果に加えて、仕切板に作用する長手方向の外力を緩衝突部の弾性変形及び緩衝隙間の変化により吸収して、仕切板が上方へ浮き上がるのをより確実に防止することができる。
【００２８】
この明細書において、浮き上がり防止突起は、図２あるいは図６に示す突起２１ｂ，２２ｂ以外にテーパ側端面２１ａの形状が全体として緩やかな円弧状に形成され、その上端部が容器のテーパ周面１３ａに局部的に接触するものも含むものとする。
【００２９】
【発明の効果】
以上詳述したように、請求項１〜３に記載の発明は、容器の振動による仕切板の浮き上がりを防止することができる効果がある。
【図面の簡単な説明】
【図１】  この発明を具体化した運搬用容器の一部省略縦断面図。
【図２】  仕切板の組合せ前の部分拡大斜視図。
【図３】  仕切板の組合せ状態の部分拡大断面図。
【図４】  仕切板の組合せ状態の部分拡大断面図。
【図５】  運搬用容器の斜視図。
【図６】  この発明の別の実施形態を示す仕切板の部分斜視図。
【符号の説明】
１１…容器、１２…容器本体、１３…側板、１３ａ…テーパ周面、２１…第１の仕切板、２２…第２の仕切板、２１ａ，２２ａ…テーパ側端面、２１ｂ，２２ｂ…浮き上がり防止突起。
【図１】
0003966969.tif 000002
【図２】
0003966969.tif 000003
【図３】
0003966969.tif 000004
【図４】
0003966969.tif 000005
【図５】
0003966969.tif 000006
【図６】
0003966969.tif 000007